(57)【要約】【課題】  小型で、安価なカメラモジュールを提供すること。【解決手段】  本発明のカメラモジュールにおいて、ホルダ１の筒状部１ａの下部に設けられた弾性腕部１ｆは、筒状部１ａの厚み内の円周に沿って配置され、この弾性腕部１ｆが保持部材４の突出部４ｄに弾接するようになっているため、弾性腕部１ｆは、筒状部１ａの厚み内に形成できて、弾性腕部１ｆを形成するために筒状部１ａを径方向に何ら大きくする必要が無く、従って、ホルダ１全体を小型化できると共に、ホルダ１を形成するための形成金型も従来に比して簡素となって安価なものが得られる。【選択図】  図１
2007065056.tif 000002
【特許請求の範囲】
【請求項１】
レンズと、このレンズを内部に保持した筒状部を有するホルダと、このホルダを内部に保持する筒体を有する保持部材とを備え、前記ホルダは、前記筒状部の下部から下方に突出し、前記筒状部の厚み内の円周に沿って配置された弾性腕部を有すると共に、前記保持部材は、前記筒体内に突出し、前記弾性腕部を受ける環状の突出部を有し、前記ホルダは、前記弾性腕部が前記突出部に弾接した状態で前記保持部材に保持されたことを特徴とするカメラモジュール。
【請求項２】
前記ホルダの筒状部の外周面には、雄ねじ部が設けられると共に、前記保持部材の筒体の内周面には、前記雄ねじ部に噛み合う雌ねじ部が設けられ、前記ホルダは、前記雄ねじ部と前記雌ねじ部の螺合によって、複数の前記弾性腕部が前記突出部に弾接して前記保持部材に取り付けられたことを特徴とする請求項１記載のカメラモジュール。
【請求項３】
前記弾性腕部は、片持ち梁形状をなしたことを特徴とする請求項１、又は２記載のカメラモジュール。
【請求項４】
前記弾性腕部の先端部は、Ｖ字状に形成され、このＶ字状の下部が前記突出部に弾接したことを特徴とする請求項１から３の何れか１項記載のカメラモジュール。
【発明の詳細な説明】
【技術分野】
【０００１】
本発明は、携帯電話機等に適用して好適なカメラモジュールに関するものである。
【背景技術】
【０００２】
従来のカメラモジュールの図面を説明すると、図３は従来のカメラモジュールに係る要部断面図、図４は従来のカメラモジュールに係る要部の一部断面斜視図であり、次に、従来のカメラモジュールの構成を図３，図４に基づいて説明すると、ホルダ５１は、筒状部５１ａと、この筒状部５１ａ内に突出した環状のフランジ部５１ｂと、このフランジ部５１ｂに設けられ、上方に突出したバネ部５１ｃと、筒状部５１ａに設けられた突起５１ｄを有する。
【０００３】
レンズ５２は、レンズ部５２ａと、このレンズ部５２ａの外周から突出する鍔部５２ｂを有し、このレンズ５２は、ホルダ５１の筒状部５１ａ内に挿入され、鍔部５２ｂがバネ部５１ｃ上に載置されると共に、レンズ５２を押圧するためのレンズ押さえ部材５３は、鍔部５２ｂを押圧する押さえ部５３ａと、筒状部５１ａ外に位置し、突起５１ｄを受け入れる空洞部５３ｂが設けられた筒体５３ｃを有しており、このレンズ押さえ部材５３は、レンズカバー５４によって押されて、突起５１ｄと空洞部５３ｂの係合の範囲で上下動し、このレンズ押さえ部材５３の移動に伴って、レンズ５２は、バネ部５１ｃに弾圧された状態で上下動して、レンズ５２の焦点が調整されるようになって、従来のカメラモジュールが形成されている（例えば、特許文献１参照）。
【特許文献１】特開２００２−９８８７８号公報（第６頁、図５，図６）
【発明の開示】
【発明が解決しようとする課題】
【０００４】
しかし、従来のカメラモジュールにおいて、ホルダ５１の筒状部５１ａ内には、レンズ５２の鍔部５２ｂに弾接するバネ部５１ｃを設けたフランジ部５１ｂが形成されるため、バネ部５１ｃとフランジ部５１ｂが筒状部５１ａ内で径方向に形成されて、筒状部５１ａが大きくなり、ホルダ５１全体が大型になるばかりか、筒状部５１ａ内でのバネ部５１ｃとフランジ部５１ｂの形成を行うための成型金型が複雑となって、コスト高になるという問題がある。
【０００５】
本発明は、このような従来技術の実情に鑑みてなされたもので、その目的は、小型で、安価なカメラモジュールを提供することにある。
【課題を解決するための手段】
【０００６】
上記の目的を達成するために、本発明の第１の解決手段として、レンズと、このレンズを内部に保持した筒状部を有するホルダと、このホルダを内部に保持する筒体を有する保持部材とを備え、前記ホルダは、前記筒状部の下部から下方に突出し、前記筒状部の厚み内の円周に沿って配置された弾性腕部を有すると共に、前記保持部材は、前記筒体内に突出し、前記弾性腕部を受ける環状の突出部を有し、前記ホルダは、前記弾性腕部が前記突出部に弾接した状態で前記保持部材に保持された厚生とした。
【０００７】
また、第２の解決手段として、前記ホルダの筒状部の外周面には、雄ねじ部が設けられると共に、前記保持部材の筒体の内周面には、前記雄ねじ部に噛み合う雌ねじ部が設けられ、前記ホルダは、前記雄ねじ部と前記雌ねじ部の螺合によって、複数の前記弾性腕部が前記突出部に弾接して前記保持部材に取り付けられた構成とした。
【０００８】
また、第３の解決手段として、前記弾性腕部は、片持ち梁形状をなした構成とした。
【０００９】
また、第４の解決手段として、前記弾性腕部の先端部は、Ｖ字状に形成され、このＶ字状の下部が前記突出部に弾接した構成とした。
【発明の効果】
【００１０】
本発明のカメラモジュールにおいて、ホルダの筒状部の下部に設けられた弾性腕部は、筒状部の厚み内の円周に沿って配置され、この弾性腕部が保持部材の突出部に弾接するようになっているため、弾性腕部は、筒状部の厚み内に形成できて、弾性腕部を形成するために筒状部を径方向に何ら大きくする必要が無く、従って、ホルダ全体を小型化できると共に、ホルダを形成するための形成金型も従来に比して簡素となって安価なものが得られる。
【００１１】
また、ホルダの雄ねじ部と保持部材の雌ねじ部とが螺合され、ホルダの回転によってレンズの焦点が調整されるため、焦点の調整が容易に、且つ、微細にでると共に、ホルダに設けられた複数の弾性腕部が突出部に弾接するため、ホルダの姿勢の安定したものが得られる。
【００１２】
また、弾性腕部は、片持ち梁形状をなしたため、梁を長くでき、バネ性を長期にわたって維持できると共に、弾性腕部の先端部をＶ字状に形成することによって、ホルダを時計方向、或いは反時計方向に回転した際に、弾性腕部の先端部と突出部との間に引っ掛かり無く、弾性腕部と突出部間の滑り動作を良くすることができる。
【発明を実施するための最良の形態】
【００１３】
発明の実施の形態について図面を参照して説明すると、図１は本発明のカメラモジュールの要部断面図、図２は本発明のカメラモジュールに係り、ホルダを下部側から見た斜視図であり、次に、本発明のカメラモジュールの構成を図１、図２に基づいて説明すると、合成樹脂の成型品からなるホルダ１は、筒状部１ａと、この筒状部１ａの外周面に設けられた雄ねじ部１ｂと、筒状部１ａの前方部を塞ぐように設けられた前面板１ｃと、この前面板１ｃの中央部に設けられた貫通孔１ｄと、前面板１ｃの外周部に設けられた複数の係止孔１ｅと、筒状部１ａの下部から下方に突出し、筒状部１ａの厚み内の円周に沿って配置された複数の片持ち梁状の弾性腕部１ｆを有する。なお、弾性腕部１ｆの先端部は、図２の点線で示すように、Ｖ字状に形成しても良い。
【００１４】
複数枚からなるレンズ２は、ホルダ１の筒状部１ａ内に収納され、前方部に位置するレンズ２が前面板１ｃに当接した状態で、後方部に位置するレンズ２が筒状部１ａの内面に接着剤３によって接着されて、ホルダ１に取り付けられている。
【００１５】
合成樹脂の成型品からなる保持部材４は、小径の筒体４ａと、この筒体４ａに後方向に結合された大径の筒体４ｂと、筒体４ａの内周面に設けられた雌ねじ部４ｃと、筒体４ａの内方の後方部に位置し、筒体４ａから内方に突出する環状の突出部４ｄを有する。
【００１６】
この保持部材４の筒体４ａ内には、レンズ２を取り付けたホルダ１が挿入されて、弾性腕部１ｆの先端部が筒体４ａ内の突出部４ｄ上に弾接した状態になると共に、保持部材４の雌ねじ部４ｃには、ホルダ１の雄ねじ部１ｂが螺合（噛み合わせ）され、係止孔１ｅに係止された治具（図示せず）によってホルダ１が回転されると、ホルダ１は、弾性腕部１ｆのバネ性に抗して、雄ねじ部１ｂが雌ねじ部４ｃに順次螺合されて後方側に移動して、レンズ２の焦点の調整が行われ、この焦点の調整が完了すると、ホルダ１は、接着剤５によって保持部材４に接着されて、固定されるようになる。
【００１７】
また、保持部材４の筒体４ｂ内には、赤外線除去フィルタ（ＩＲカットフィルタ）が配置されると共に、保持部材４の筒体４ｂの下部には、撮像素子７を取り付けた回路基板８が取り付けられて、本発明のカメラモジュールが形成されている。そして、このような構成を有するカメラモジュールは、ホルダ１の回転動作によって、撮像素子７に対するレンズ２の焦点の調整が行われるようになっている。
【図面の簡単な説明】
【００１８】
【図１】本発明のカメラモジュールの要部断面図である。
【図２】本発明のカメラモジュールに係り、ホルダを下部側から見た斜視図である。
【図３】従来のカメラモジュールに係る要部断面図である。
【図４】従来のカメラモジュールに係る要部の一部断面斜視図である。
【符号の説明】
【００１９】
１  ホルダ
１ａ  筒状部
１ｂ  雄ねじ部
１ｃ  前面板
１ｄ  貫通孔
１ｅ  係止孔
１ｆ  弾性腕部
２  レンズ
３  接着剤
４  保持部材
４ａ  筒体
４ｂ  筒体
４ｃ  雌ねじ部
４ｄ  突出部
５  接着剤
６  赤外線除去フィルタ
７  撮像素子
８  回路基板
【図１】
2007065056.tif 000003
【図２】
2007065056.tif 000004
【図３】
2007065056.tif 000005
【図４】
2007065056.tif 000006